(57)【要約】【課題】  簡単な構成のハーフダミー体を提供する。【解決手段】  半割り状のダミー体本体１、保持部２、取付け溝３及び係止片４がプラスチックシートによって一体的にかつ弾性変形可能に形成され、保持部２はダミー体本体１の底部を構成し、取付け溝３はダミー体本体１の下部と保持部２との間にダミー体本体の外周面に沿って、溝底部がダミー体本体の内側にかつ溝開口部が外側に向けて形成され、係止片４は保持部２の外周縁の両側終端にダミー体本体１の幅方向において対向配置されていると共に外方に突出され、保持部２はダミー体取付け穴５１に挿入可能であり、取付け溝３はダミー体取付け穴５１の内周縁に係合可能であり、係止片４は取付け板５の下面に当接可能である。【選択図】        図１
2006012084.tif 000002
【特許請求の範囲】
【請求項１】
自動販売機の陳列部の取付け板上にこの取付け板に設けられているダミー体取付け穴を介して保持されるハーフダミー体において、
半割り状のダミー体本体、保持部、取付け溝及び係止片が一体的にかつ弾性変形可能に形成されており、
上記保持部はダミー体本体の底部を構成しており、
上記取付け溝は上記ダミー体本体の下部と上記保持部との間にダミー体本体の外周面に沿って、溝底部がダミー体本体の内側にかつ溝開口部が外側に向けて形成されており、
上記係止片は上記保持部の外周縁の両側終端に上記ダミー体本体の幅方向において対向配置されていると共に上記幅方向に沿って外方に突出されており、
上記保持部は上記ダミー体取付け穴に挿入可能であり、上記取付け溝はダミー体取付け穴の内周縁に係合可能であり、上記係止片は上記取付け板の下面に当接可能である
ことを特徴とする自動販売機用のハーフダミー体。
【請求項２】
ダミー体本体、保持部、取付け溝及び係止片はフィルム状のプラスチックシートにより一体成形されているものであることを特徴とする請求項１記載の自動販売機用のハーフダミー体。
【発明の詳細な説明】
【技術分野】
【０００１】
本発明は自動販売機用のハーフダミー体に関するものである。
【背景技術】
【０００２】
一般に、自動販売機用のハーフダミー体は缶、ボトルなどの飲料容器の本体を半割りして、自動販売機の陳列部（展示室）の取付け板（ステージ）上にダミー体取付け穴（ダミー体取付孔）を介して起立状態に固定されるものである。従来の自動販売機用のハーフダミー体としては、例えば特開２００２−２８８７２０号公報記載のダミー体などのように、その本体が半割り状のものが知られている。この従来公報記載のダミー体はポリプロピレン、ポリカーボーネート、再生プラスチック材によって縦割の形状に形成され、胴部の下部には半円弧状で凹溝形状に係止部を設けている。係止部は、Ｘ方向で、内側に半円弧状の谷を有し、係止部の上面に上突起を下面に下突起を設けている。ダミー体を展示するための展示室に、ダミー体を支持するためのステージを設けてあり、このステージには平面視円形のダミー体取付孔を形成してある。このダミー体取付孔には回り止め用の一対の切欠を設けてあり、双方の切欠は互いに円周上に１８０度離れて配置されている。
上記従来公報記載のダミー体の取付け方法は、ダミー体の底部を展示室のステージに形成してあるダミー体取付孔に差し入れて、このダミー体取付孔の内周縁部と係止部とを係合させてダミー体をステージ上に起立固定させるものであるが、係合時には係止部の上突起と下突起とで挟むようにして、係合を強固にする。
【特許文献１】特開２００２−２８８７２０号公報
【特許文献２】特開平９−３３０４６０号公報
【発明の開示】
【発明が解決しようとする課題】
【０００３】
上述した従来公報記載のダミー体はステージ上に確実に取付けることができるものの、係止部が複数の突起を有するなどその構造が複雑であり、製造のコストダウンをより一層図るためには改良の余地がある。
本発明の目的は簡単な構成のハーフダミー体を提供することにある。
【課題を解決するための手段】
【０００４】
本発明の第１の特徴は、自動販売機の陳列部の取付け板上にこの取付け板に設けられているダミー体取付け穴を介して保持されるハーフダミー体において、半割り状のダミー体本体、保持部、取付け溝及び係止片が一体的にかつ弾性変形可能に形成され、上記保持部はダミー体本体の底部を構成し、上記取付け溝は上記ダミー体本体の下部と上記保持部との間にダミー体本体の外周面に沿って、溝底部がダミー体本体の内側にかつ溝開口部が外側に向けて形成され、上記係止片は上記保持部の外周縁の両側終端に上記ダミー体本体の幅方向において対向配置されていると共に上記幅方向に沿って外方に突出され、上記保持部は上記ダミー体取付け穴に挿入可能であり、上記取付け溝はダミー体取付け穴の内周縁に係合可能であり、上記係止片は上記取付け板の下面に当接可能であることにある。
本発明の第２の特徴は、上記第１の特徴を前提として、ダミー体本体、保持部、取付け溝及び係止片はフィルム状のプラスチックシートにより一体成形されているものであることにある。
【発明の効果】
【０００５】
本発明によれば、構成が簡単であり、製造が容易となり、製造のコストダウンに寄与することができ、そして取付け板のダミー体取付け穴の形状を問わずハーフダミー体を取付け板上に保持することができる。
【発明を実施するための最良の形態】
【０００６】
図１〜図４に示すハーフダミー体Ｄはプラスチックシートによって背部が開放された半割り缶状に形成加工されており、ダミー体本体１、保持部２、取付け溝３及び係止片４とからなる。ダミー体本体１、保持部２、取付け溝３及び係止片４は一体的にかつ弾性変形可能である。ハーフダミー体Ｄは、図１鎖線に示す自動販売機の陳列部における取付け板５上にダミー体取付け穴５１を通じて起立状態に取付けられるものである。
【０００７】
ダミー体本体１は半割り丸缶状に形成されており、表面には図示していないが商品名などが予め印刷されている。ダミー体本体１にはその幅方向（図１左右方向）の両側縁にフック状の取付け片１１が対向配置されており、それぞれの取付け片は外方に突出されている。図１〜図３に示すように、保持部２はダミー体本体１の底部を構成している。保持部２は取付け板５のダミー体取付け穴５１に対して挿入及び離脱が可能であり、ハーフダミー体Ｄの使用時には取付け板５の下面側に位置する（図６）。取付け溝３は、図１及び図２に示すように、ダミー体本体１の下部と保持部２との間に形成されている。図１及び図５に示すように、取付け溝３はダミー体本体１の外周面に沿って、しかも溝底部がダミー体本体の内側（図４左側）にかつ溝開口部が外側に向けて形成され、溝両端は開放されている。図１、図２及び図５に示すように、係止片４は保持部２の外周縁の両側終端に設けられている。各係止片４はダミー体本体１の幅方向に対向的に配置されておりかつ幅方向に沿って外方に向って突出されている。
【０００８】
取付け板５に形成されているダミー体取付け穴５１において、図６及び図７ではダミー体取付け穴の内周縁の左右両側に平面三角形の第１の切欠部５１１を、対の第１の切欠部５から所定の距離を置いて内面形状に円弧を有する対の第２の切欠部５１２をそれぞれ形成してある。図示するダミー体取付け穴５１は本発明に係るハーフダミー体Ｄを取付けるために特別に設計されたものではなく、公知のものである。
【０００９】
ハーフダミー体Ｄと取付け板５との関係を説明する。
保持部２はダミー体取付け穴５１より下方に挿入することができ、ハーフダミー体Ｄの取付け状態にあるときには、図１及び図６に示すように取付け板５の下方に位置する。取付け溝３はダミー体取付け穴５１の内周縁に対して係合離脱可能である。係止片４は図１及び図６に示すように取付け板５の下面に当接可能である。
ハーフダミー体Ｄは取付け溝３がダミー体取付け穴５１の内周縁に係合している状態で、取付け板５上に安定して保持され、この保持状態では係止片４が取付け板５の下面に当接されており、ハーフダミー体が例えば背面側から何らかの負荷がかかって、正面側（前側）へ倒れようとしても、係止片で支えられているために、簡単に倒れることがない。
【００１０】
ハーフダミー体Ｄの製法について主に図８を参照して説明すると、予め缶形状、ハーフダミー体の正面の図柄や文字（図示せず。）が印刷された例えばポリプロピレンなどのフィルム状のプラスチックシートＳを準備しておく。
まず、プラスチックシートＳを用いて真空成形法又は圧空成形法により、同図（ａ）に示すようにプラスチックシート上に半割り丸缶状のダミー成形体Ｓ１を成形加工し、ついで、トムソン法を用いてダミー成形体をプラスチックシートＳから打ち抜くと、図１に示すハーフダミー体Ｄが完成される。図８（ｂ）に示すようにプラスチックシートＳにはハーフダミー体が抜け落ちた穴Ｓ２が残る。
【００１１】
ハーフダミー体Ｄを自動販売機の陳列部の取付け板５上に取付ける方法について説明する。
まず、使用者は手でダミー体本体１の下部側であって、その幅方向の両側（左右両側）を挟み、その両側部がダミー体本体の弾性力に抗して互いに接近するように押圧させると、細く湾曲した状態になり、このような弾性変形した状態で取付け板５のダミー体取付け穴５１に上下方向に対向させると共に、係止片４も第１の切欠部５１１を対向位置させてから、ダミー体本体の保持部２をダミー体取付け穴５１に挿入する。
挿入後、ダミー体取付け穴５１の内周縁が取付け溝３内に納まった段階でダミー体本体１の下部の押圧を解除すると、ハーフダミー体Ｄ全体の形状が弾性力によって元の状態に回復し、取付け溝３はダミー体取付け穴５１の内周縁と係合し、係止片４は取付け板５の下面に密着状態に当接される。この結果、ハーフダミー体Ｄは取付け板５上に起立状態に保持される。特に、ハーフダミー体Ｄに対して正面側（図２右側）又は背面側からハーフダミー体を倒そうとする何らかの負荷がかかっても、このとき係止片４が支えとして機能するから、ハーフダミー体Ｄは常に安定した保持状態が得られる。
【００１２】
図１に示すハーフダミー体Ｄによれば、ハーフダミー体自体が軽量で薄い部材で構成されているものであっても、係止片４を備えていることにより、倒れにくく、安定した取付け状態を確保することができる。
またハーフダミー体Ｄは取付け板５のダミー体取付け穴５１に挿入するだけで取付けが可能となるから、取付け穴の形状の種類を問うことなく、既存の取付け穴を通じて取付け板上に起立させることができ、使い勝手が良い。換言すれば、ダミー体本体１の保持部２をダミー体取付け穴５１に挿入する際、ハーフダミー体Ｄ全体の形状が弾性力によって変形し、その下部も細く変形されるので、上述したように係止片４を第１の切欠部５１１に位置合わせすることは必ずしも必要がない。このため、ハーフダミー体Ｄのための取付け板は必要がなく、既存の取付け板をそのまま利用できる。
【００１３】
ハーフダミー体Ｄの「半割り状」には「ほぼ半割り状」のものを含み、また全体の形状も半割り丸缶状に限られず、半割りボトル状のものなど適宜である。ハーフダミー体Ｄとしてはフィルム状のプラスチックシートにより一体成形されているものであれば、製造が容易となり取扱いがしやすくなる利点があるが、必ずしもプラスチックシートにより形成されるものに限定されない。
【図面の簡単な説明】
【００１４】
【図１】本発明に係るハーフダミー体の正面図である。
【図２】本発明に係るハーフダミー体の側面図である。
【図３】本発明に係るハーフダミー体の拡大底面図である。
【図４】図１のＩＶ−ＩＶ線断面図である。
【図５】図１のＶ−Ｖ線拡大断面図である。
【図６】本発明に係るハーフダミー体を取付け板に取付けている状態を示す底面図である。
【図７】本発明に係るハーフダミー体を取付けるための取付け板の平面図である。
【図８】本発明に係るハーフダミー体の製法の主な過程を縮小して示す正面図である。
【符号の説明】
【００１５】
Ｄ            ハーフダミー体
１            ダミー体本体
２            保持部
３            取付け溝
４            係止片
５            取付け板
５１          ダミー体取付け穴
【図１】
2006012084.tif 000003
【図２】
2006012084.tif 000004
【図３】
2006012084.tif 000005
【図４】
2006012084.tif 000006
【図５】
2006012084.tif 000007
【図６】
2006012084.tif 000008
【図７】
2006012084.tif 000009
【図８】
2006012084.tif 000010